(57)【要約】【課題】女性の基礎体温の管理のみならず、卵子の状態Ｋ管理を行うことができる女性健康管理装置の提供。【解決手段】 基礎体温等の記憶部、表示部を備えた女性健康管理装置あって、基礎体温を記憶／およびまたは測定する手段と、記憶された基礎体温値に基づいて、今回の排卵前に前記表示部のキャラクター表示を徐々に発光させ、排卵期になると点灯または点滅させるようにしたことを特徴とする。また、今回の排卵が、初潮から何回目の排卵であるかを前記表示分に表示することを特徴とする。【選択図】  図１
0003124172.tif 000002
【実用新案登録請求の範囲】
【請求項１】
基礎体温等の記憶部、表示部を備えた女性健康管理装置あって、
基礎体温を記憶／およびまたは測定する手段と、
記憶された基礎体温値に基づいて、今回の排卵前に前記表示部のキャラクター表示を徐々に発光させ、排卵期になると点灯または点滅させるようにしたことを特徴とする女性健康管理装置。
【請求項２】
基礎体温等の記憶部、表示部を備えた女性健康管理装置あって、
基礎体温を記憶／およびまたは測定する手段と、
排卵期，黄体期，卵胞期等の期間に合せて卵子を模したキャラクターで表示する機能を備えたことを特徴とする女性健康管理装置。
【請求項３】
今回の排卵が、初潮から何回目の排卵であるかを前記表示部に表示することを特徴とする請求項１または２記載の女性健康管理装置。
【請求項４】
前記卵子が子宮のどの場所に卵子があるかも示すことを特徴とする請求項２記載の女性健康管理装置。
【考案の詳細な説明】
【技術分野】
【０００１】
本考案は、基礎体温をトレンド記憶するとともに、卵子の情報を表示する女性健康管理装置に関する。
【背景技術】
【０００２】
従来、婦人体温計にあっては、単に当日に起床前の基礎体温を測定・表示するタイプのものや、婦人生理情報(当日の生理日の有無,次回排卵日,次回生理日等)を記憶・表示するという基本機能を有する、いわゆる高機能婦人体温計が提案されている(特許文献１：特開平１０−８０４２６号公報)。
【特許文献１】特開平１０−８０４２６号公報
【考案の開示】
【考案が解決しようとする課題】
【０００３】
しかしながら、自分の卵子の状態を把握するものでなく、基礎体温に関する知識がなければ自分の卵子がどのような状態にあるかを知ることが困難なものであった。
【０００４】
本考案は、上記問題点に鑑みてなされたものであり、通常の女性の基礎体温の管理のみならず、卵子の状態を容易に把握できる女性健康管理装置を提供することを目的とする。、
【課題を解決するための手段】
【０００５】
上記目的を達成するために、本考案の女性健康管理装置は、基礎体温等の記憶部、表示部を備えた女性健康管理装置あって、基礎体温を記憶／およびまたは測定する手段と、記憶された基礎体温値に基づいて、今回の排卵前に前記表示部のキャラクター表示を徐々に発光させ、排卵期になると点灯または点滅させるようにしたことを特徴とする。また、今回の排卵が、初潮から何回目の排卵であるかを前記表示分に表示することを特徴とする。また、本考案の女性健康管理装置は、基礎体温等の記憶部、表示部を備えた女性健康管理装置あって、基礎体温を記憶／およびまたは測定する手段と、排卵期，黄体期，卵胞期等の期間に合せて卵子を模したキャラクターで表示する機能を備えたことを特徴とする。また、卵子が子宮のどの場所に卵子があるかも示すことを特徴とする。
【考案の効果】
【０００６】
本考案の女性健康管理装置によれば、通常の女性の基礎体温情報の管理と合わせて、卵子の状態、排卵の状態、卵子が子宮の中でどの位置にあるか等を容易に把握することができる。
【考案を実施するための最良の形態】
【０００７】
以下添付図面を参照して、本考案を好適な実施形態に従って詳細に説明する。なお、実施例に限定されるものでないことはいうまでもない。図１に本実施形態における女性健康管理装置の一例を示している。１００は女性健康管理装置、１０は制御部（ＣＰＵ）、１１は入力キー、１１ａは、アップ／ダウンキー、１２はカラー液晶等で構成される表示部、１３は機能キー、１４は電池、１５は外部通信部、１６は演算条件などが記憶されたＲＡＭ、１７はＣＰＵ１０で処理を行なうブログラムなどが記憶されたＲＯＭ、１８は温度（体温）センサ、１９は基礎体温等をトレンド記憶する記憶部、２０はクロック部である。また、外部通信部１５を介して、外部のサービス業者のサーバーにアクセスできるように構成されている。
【０００８】
図２は、表示部１２における表示例である。（ａ）は、初期画面及び年・月設定入力画面である。生年・月・日、初潮年入力画面を表示する例である。（ｂ）は、卵子の当日の状態を視認しやすいようにキャラクターなどで表示し、発光状態を変化させるようにしている例である。このとき、当日の基礎体温も併せて表示することにより、より詳細な生理状態を把握することができる。（ｃ）は、自動記憶または手動入力された基礎体温のトレンド表示の例である（●印は当日の基礎体温を示すものである）。（ｄ）は、初潮から現在までに排卵された卵子の数を表示する例である。（ｅ）は、生年・月・日、初潮年・月、生理周期の入力画面である。（ｆ）は、卵子が卵巣，卵管，子宮等の女性生殖器のどの位置にあるかを模式的に示す表示画面である。図において、●印は現在卵子がどこにあるかを示すものである。なお、卵子の表示は、（ｂ）に併せた発光形態としてもよい。
【０００９】
以下、本考案の女性健康管理装置１００の使用方法について説明する。まず、電池１４を女性健康管理装置１００の所定位置にセットする。初期状態となり、表示部１２のセグメントが全灯表示され、初期セルフチェックが行われる。
【００１０】
＜年・月・日の設定＞
機能スイッチ１３を押すことで、初期画面が表示部１２に表示され、年・月・日のデフォルト値、例えば、２００６０１０１が表示される（図２（ａ））。入力キー１１を押すことで、２００６のセグメント表示部が点滅する。たとえば、設定したい当日（年・月・日）を、２００６年５月３１日とすると、入力キー１１を押すことで２００６年が確定し、設定入力され、点灯に変わる。月のセグメント表示部が点滅している状態で、アップ／ダウンキー１１ａの△キーを押すここにより、月のセグメント表示部を０５に点滅表示させる。入力キー１１を押すことで２００６年０５月が確定し、設定入力され、点灯に変わる。次に、日のセグメント表示部が点滅している状態で、アップ／ダウンキー１１ａの△キーを押すここにより、日のセグメント表示部を３１に点滅表示させる。入力キー１１を押すことで２００６年０５月３１日が確定し、設定入力され、点灯に変わり、こうして、設定したい当日（年・月・日）２００６年５月３１日が設定される。さらに、時刻表示部００：００が点滅し、時刻設定に移行する。上述の年・月・日の設定・入力と同様の操作で時刻をセッイ入力する。なお、電波時計を備えることで、年・月・日の設定をする必要がなくなる。
【００１１】
＜表示画面の切替え＞
機能スイッチ１３を押すことで、図２に示す画面（ｂ）→（ｃ）→（ｄ）→（ｅ）→（ｆ）が順次遷移する。
【００１２】
＜体温測定・記憶＞
開始スイッチ１３ａを押すと温度センサ１８により、体温が測定され、年・月・日・時刻とともにトレンド記憶される。体温の測定・記憶は１日のうち何回でも可能であるが、６：００を記憶の最優先度とし、その前後は順次最優先度が下がるようになっている。すなわち、６：００に体温測定・記憶後、６：１５に体温測定しても、記憶されない。測定された体温は、図２（ｂ）に示すように、年・月・日ともに卵子の状態とともに表示部１２に表示される。なお、女性健康管理装置１００とは別の体温計で体温測定し、記憶することもできる。この場合、図２（ｂ）に表示された状態で、入力キー１１を押す。温度表示部の温度表示が３６．５０（デフォルト値）として点滅表示する。３６．７５℃と入力したい場合、アップ／ダウンキー１１ａの△キーを押すここにより、３６．７５をセグメント表示するようにする。入力キー１１を押すことで３６．７５が確定し、設定入力され、点灯に変わり、体温のトレンド記憶となる。ただし、女性健康管理装置１００で測定された体温とは測定条件が異なるので注意を要する。
【００１３】
＜卵子の数の演算・表示＞
機能スイッチ１３を押すことで、図２（ｅ）に示す画面を表示部１２に表示させる。この画面では、表示部１２に生年・月・日のデフォルト値、例えば、２００００１０１、初潮年・月のデフォルト値、例えば、２００００１、生理周期のデフォルト値、例えば、２８が表▽示される。入力キー１１を押すことで、２０００のセグメント表示部が点滅する。たとえば、設定・入力したい生年・年・月を、１９８６年６月１０日とするとアップ／ダウンキー１１ａの▽キーを押すことにより、年のセグメント表示を１９９６に点滅表示させる。入力キー１１を押すことで１９９６年が確定し、設定入力され、点灯に変わる。月のセグメント表示部が点滅している状態で、アップ／ダウンキー１１ａの△キーを押すここにより、月のセグメント表示部を０６に点滅表示させる。入力キー１１を押すことで１９９６１年０６月が確定し、設定入力され、点灯に変わる。日のセグメント表示部が点滅している状態で、アップ／ダウンキー１１ａの△キーを押すここにより、日のセグメント表示部を１０に点滅表示させる。入力キー１１を押すことで１９９６１年０６月１０日が確定し、設定入力され、点灯に変わる。こうして、生年・月・日の設定入力が終了すると、初潮年・月の設定入力に遷移する。初潮の年・月を２００１年５月とすると、アップ／ダウンキー１１ａの△キーを押すここにより、年の２００１のセグメント表示部を２００１に点滅表示させる。入力キー１１を押すことで２００１年が確定し、設定入力され、点灯に変わる。月のセグメント表示部が点滅している状態で、アップ／ダウンキー１１ａの△キーを押すここにより、月のセグメント表示部を０５に点滅表示させる。入力キー１１を押すことで２００１年０５月が確定し、設定入力され、点灯に変わる。こうして、初潮（年・月）２００１年５月が設定される。図２（ｅ）の画面で、生理周期も設定する。デフォルト値２８が表示された状態で、アップ／ダウンキー１１ａを押すここにより使用者の生理周期を入力、確定する。入力された初潮（年・月）、生理周期を元に、今回の排卵が初潮から何回目かを演算し、図２（ｄ）のように表示部１２に表示する。なお、初潮（年・月）が入力されていない場合、入力された生年・月・日、平均的な初潮年齢、入力されている生理周期から演算するようにしてもよい。例えば、設定入力された生年・月・日を１９８６年６月１０日、初潮年・月を２００１年５月、生理周期を２８日、現在を２００６年５月２６日とすると、初潮年・月の２００１年５月から現在までの日数１８５６日が演算され、
１８５６日／２８＝６６．２８となり、表示部１２に６６が表示される。
【００１４】
＜表示の組合せ例＞
図２（ｂ），（ｃ），（ｄ），（ｆ）を順に表示させる以外に、卵子の状態、体温を示す（ｂ）と、卵子がどの位置にあるかを示す（ｆ）を併せて表示したり、基礎体温の表示（ｃ）と（ｆ）とを併せて表示したり、（ｂ）と（ｃ）を併せて表示したり、（ｂ），（ｃ），（ｄ），（ｆ）を任意に組合せて表示してもよい。
【図面の簡単な説明】
【００１５】
【図１】本考案の実施形態におけるブロック図である。
【図２】本考案の実施形態における表示例である。
【符号の説明】
【００１６】
１０・・・ＣＰＵ、１１・・・入力キー、１１ａ，・・・アップ／ダウンキー、１３・・・機能スイッチ、１００・・・女性健康管理装置
【図１】
0003124172.tif 000003
【図２】
0003124172.tif 000004
【手続補正書】
【提出日】平成18年5月29日(2006.5.29)
【手続補正１】
【補正対象書類名】明細書
【補正対象項目名】０００７
【補正方法】変更
【補正の内容】
【０００７】
以下添付図面を参照して、本考案を好適な実施形態に従って詳細に説明する。なお、実施例に示す腕時計型の女性健康管理装置に限定されるものでないことはいうまでもなく、ペンダント型、携帯電話の付加機能としたもの等が挙げられる。図１に本実施形態における腕時計型の女性健康管理装置の一例を示している。１００は女性健康管理装置、１０は制御部（ＣＰＵ）、１１は入力キー、１１ａは、アップ／ダウンキー、１２はカラー液晶等で構成される表示部、１３は機能キー、１４は電池、１５は外部通信部、１６は演算条件などが記憶されたＲＡＭ、１７はＣＰＵ１０で処理を行なうブログラムなどが記憶されたＲＯＭ、１８は温度（体温）センサ、１９は基礎体温等をトレンド記憶する記憶部、２０はクロック部である。また、外部通信部１５を介して、外部のサービス業者のサーバーにアクセスできるように構成されている。
【手続補正書】
【提出日】平成18年6月6日(2006.6.6)
【手続補正１】
【補正対象書類名】明細書
【補正対象項目名】０００５
【補正方法】変更
【補正の内容】
【０００５】
上記目的を達成するために、本考案の女性健康管理装置は、基礎体温等の記憶部、表示部を備えた女性健康管理装置であって、基礎体温を記憶／およびまたは測定する手段と、記憶された基礎体温値に基づいて、今回の排卵前に前記表示部のキャラクター表示を徐々に発光させ、排卵期になると点灯または点滅させるようにしたことを特徴とする。また、今回の排卵が、初潮から何回目の排卵であるかを前記表示分に表示することを特徴とする。また、本考案の女性健康管理装置は、基礎体温等の記憶部、表示部を備えた女性健康管理装置であって、基礎体温を記憶／およびまたは測定する手段と、排卵期，黄体期，卵胞期等の期間に合せて卵子を模したキャラクターで表示する機能を備えたことを特徴とする。また、卵子が子宮のどの場所に卵子があるかも示すことを特徴とする。
【手続補正２】
【補正対象書類名】明細書
【補正対象項目名】０００７
【補正方法】変更
【補正の内容】
【０００７】
以下、添付図面を参照して、本考案を好適な実施形態に従って詳細に説明する。なお、実施例に示す腕時計型の女性健康管理装置に限定されるものでないことはいうまでもなく、ペンダント型、携帯電話の付加機能としたもの等が挙げられる。図１に本実施形態における腕時計型の女性健康管理装置の一例を示している。１００は女性健康管理装置、１０は制御部（ＣＰＵ）、１１は入力キー、１１ａは、アップ／ダウンキー、１２はカラー液晶等で構成される表示部、１３は機能キー、１４は電池、１５は外部通信部、１６は演算条件などが記憶されたＲＡＭ、１７はＣＰＵ１０で処理を行なうプログラムなどが記憶されたＲＯＭ、１８は温度（体温）センサ、１９は基礎体温等をトレンド記憶する記憶部、２０はクロック部である。また、外部通信部１５を介して、外部のサービス業者のサーバーにアクセスできるように構成されている。
【手続補正３】
【補正対象書類名】明細書
【補正対象項目名】００１０
【補正方法】変更
【補正の内容】
【００１０】
＜年・月・日の設定＞
機能スイッチ１３を押すことで、初期画面が表示部１２に表示され、年・月・日のデフォルト値、例えば、２００６０１０１が表示される（図２（ａ））。入力キー１１を押すことで、２００６のセグメント表示部が点滅する。たとえば、設定したい当日（年・月・日）を、２００６年５月３１日とすると、入力キー１１を押すことで２００６年が確定し、設定入力され、点灯に変わる。月のセグメント表示部が点滅している状態で、アップ／ダウンキー１１ａの△キーを押すここにより、月のセグメント表示部を０５に点滅表示させる。入力キー１１を押すことで２００６年０５月が確定し、設定入力され、点灯に変わる。次に、日のセグメント表示部が点滅している状態で、アップ／ダウンキー１１ａの△キーを押すここにより、日のセグメント表示部を３１に点滅表示させる。入力キー１１を押すことで２００６年０５月３１日が確定し、設定入力され、点灯に変わり、こうして、設定したい当日（年・月・日）２００６年５月３１日が設定される。さらに、時刻表示部００：００が点滅し、時刻設定に移行する。上述の年・月・日の設定・入力と同様の操作で時刻を設定入力する。なお、電波時計を備えることで、年・月・日の設定をする必要がなくなる。
【手続補正４】
【補正対象書類名】明細書
【補正対象項目名】００１２
【補正方法】変更
【補正の内容】
【００１２】
＜体温測定・記憶＞
開始スイッチ１３ａを押すと温度センサ１８により、体温が測定され、年・月・日・時刻とともにトレンド記憶される。体温の測定・記憶は１日のうち何回でも可能であるが、６：００を記憶の最優先度とし、その前後は順次最優先度が下がるようになっている。すなわち、６：００に体温測定・記憶後、６：１５に体温測定しても、記憶されない。測定された体温は、図２（ｂ）に示すように、年・月・日とともに卵子の状態とともに表示部１２に表示される（図２（ｂ）の例では年・月・日は表示されていない）。なお、女性健康管理装置１００とは別の体温計で体温測定し、記憶することもできる。この場合、図２（ｂ）に表示された状態で、入力キー１１を押す。温度表示部の温度表示が３６．５０（デフォルト値）として点滅表示する。３６．７５℃と入力したい場合、アップ／ダウンキー１１ａの△キーを押すここにより、３６．７５をセグメント表示するようにする。入力キー１１を押すことで３６．７５が確定し、設定入力され、点灯に変わり、体温のトレンド記憶となる。ただし、女性健康管理装置１００で測定された体温とは測定条件が異なるので注意を要する。
【手続補正５】
【補正対象書類名】明細書
【補正対象項目名】００１３
【補正方法】変更
【補正の内容】
【００１３】
＜卵子の数の演算・表示＞
機能スイッチ１３を押すことで、図２（ｅ）に示す画面を表示部１２に表示させる。この画面では、表示部１２に生年・月・日のデフォルト値、例えば、２０００  ０１  ０１、初潮年・月のデフォルト値、例えば、２０００  ０１、生理周期のデフォルト値、例えば、２８が表示される。入力キー１１を押すことで、２０００のセグメント表示部が点滅する。たとえば、設定・入力したい生年・年・月を、１９８６年６月１０日とするとアップ／ダウンキー１１ａの▽キーを押すことにより、年のセグメント表示を１９８６に点滅表示させる。入力キー１１を押すことで１９８６年が確定し、設定入力され、点灯に変わる。月のセグメント表示部が点滅している状態で、アップ／ダウンキー１１ａの△キーを押すここにより、月のセグメント表示部を０６に点滅表示させる。入力キー１１を押すことで１９８６年０６月が確定し、設定入力され、点灯に変わる。日のセグメント表示部が点滅している状態で、アップ／ダウンキー１１ａの△キーを押すここにより、日のセグメント表示部を１０に点滅表示させる。入力キー１１を押すことで１９８６年０６月１０日が確定し、設定入力され、点灯に変わる。こうして、生年・月・日の設定入力が終了すると、初潮年・月の設定入力に遷移する。初潮の年・月を２００１年５月とすると、アップ／ダウンキー１１ａの△キーを押すここにより、年の２００１のセグメント表示部を２００１に点滅表示させる。入力キー１１を押すことで２００１年が確定し、設定入力され、点灯に変わる。月のセグメント表示部が点滅している状態で、アップ／ダウンキー１１ａの△キーを押すここにより、月のセグメント表示部を０５に点滅表示させる。入力キー１１を押すことで２００１年０５月が確定し、設定入力され、点灯に変わる。こうして、初潮（年・月）２００１年５月が設定される。図２（ｅ）の画面で、生理周期も設定する。デフォルト値２８が表示された状態で、アップ／ダウンキー１１ａを押すここにより使用者の生理周期を入力、確定する。入力された初潮（年・月）、生理周期を元に、今回の排卵が初潮から何回目かを演算し、図２（ｄ）のように表示部１２に表示する。なお、初潮（年・月）が入力されていない場合、入力された生年・月・日、平均的な初潮年齢、入力されている生理周期から演算するようにしてもよい。例えば、設定入力された生年・月・日を１９８６年６月１０日、初潮年・月を２００１年５月、生理周期を２８日、現在を２００６年５月２６日とすると、初潮年・月の２００１年５月から現在までの日数１８５６日が演算され、
１８５６日／２８＝６６．２８となり、表示部１２に６６が表示される。